(57)【要約】【課題】省電力モード機能を備えたＰＣの不便さを解消すると共に、ＰＣ省電力機能を充分発揮させることができる補助装置を提供する。【解決手段】人体存在検知センサー１１と、該人体存在機知センサー１１の出力信号に応じて動作するタイマー１４，ＣＰＵ１５及びダミーコード信号出力回路からなるダミーコード信号発生手段１２を備えたＰＣ省電力補助装置１をＵＳＢケーブル３を介してＰＣのＵＳＢポートへ接続し、ＰＣの省電力モードの設定時間を最小時間に設定しておく。【選択図】  図２
2005242513.tif 000002
【特許請求の範囲】
【請求項１】
人体存在検知センサーと、該人体存在機知センサーの出力信号に応じてＰＣの省電力モードの設定時間より短い時間間隔でダミーコード信号を出力するダミーコード信号発生手段と、前記ダミーコード信号をＰＣへ送出するダミーコード信号出力手段とを具備したことを特徴とするＰＣ省電力補助装置。
【請求項２】
ダミーコード信号に補助キーコード信号を用いたことを特徴とする請求項１記載のＰＣ省電力補助装置。
【請求項３】
補助キーコード信号にシフトキーコード信号を用いたことを特徴とする請求項２記載のＰＣ省電力補助装置。
【請求項４】
ダミーコード信号にマウスコード信号を用い、マウスの指標の移動方向が逆のマウスコード信号を続けて出力するように構成したことを特徴とする請求項１記載のＰＣ省電力補助装置。
【発明の詳細な説明】
【技術分野】
【０００１】
本発明は、PCを省電力モードに設定した場合の問題点を解消し、ＰＣ省電力機能を充分発揮させるための補助装置に関するものである。
【背景技術】
【０００２】
周知のように、ＰＣには省電力モードに設定した場合、キーボードやマウスを操作しない場合には、一定時間後に
（１）モニターの電源を切る。
（２）ハードディスクの電源を切る。
（３）システムをスタンバイ状態にする。
という、省電力に移行させるための消費電力を管理する機能が備えられており、特にノートＰＣのように、電源として電池を用いるものではとても役立つ機能である。
【０００３】
デスクトップＰＣの場合であっても、省電力モードに設定した場合、この機能は働くが、屋内で使用する場合は、省電力モードを意識する必要がないかもしれないが、省電力モードとした場合、常に電源を管理するためにマンパワーが割かれてしまうため、どちらかと言えばデスクトップＰＣでは電源管理機能をオフにしておくのがよい。
【０００４】
しかし、数１０台のＰＣを用いる事業所や工場等では、消費電力が相当のものになるため、休憩時間には電源をオフにすることは勿論のこと、省電力モードに設定することが奨励又は義務付けられている。
【０００５】
ＰＣの省電力モードには、設定時間を１分、２分、３分…、１時間、２時間、３時間…と細かく設定することができ、キー操作を行わなくなってから省電力モードとなって、設定時間後、電源がオフとなる。通常、使用者は仕事量に応じて任意に選択して設定しているが、省電力を考え設定時間を１分と短く設定した場合、入力すべき情報を勘案している間に１分を経過してしまい、まごつくことが往々にしてあることは日常経験するところである。
【０００６】
また、長時間に設定した場合、キー操作を終了した時、直ちに省電力モードに移行しないため、設定時間分だけ省電力化が出来ないことになる。また、まだ設定時間内であると思い席を外し戻ってきた時、設定時間を超過してしまい、情報入力操作を直ちに続行出来ず不便を託つことがある。
【０００７】
更に省電力の大きいモニター等をより細かく省エネしようとして設定時間を短く設定した場合、ユーザーがＰＣから離れる度に、電源スイッチを切ったり入れたりする必要があり、また、省電力モードから通常モードに移行する為には、キー操作又は、マウス操作によりモード変更操作を行う必要があった。
【非特許文献１】1998年10月富士通株式会社発行「取扱説明書（FMV−6456DX2，6400DX2，6350DX2，6300DX2c）」６６頁
【発明の開示】
【発明が解決しようとする課題】
【０００８】
そこで本発明は、上記の不便さを解消すると共に、ＰＣ省電力機能を充分発揮させることができる補助装置を提供しようとするものである。
【課題を解決するための手段】
【０００９】
本発明は、上記の課題を解決するためになされたもので、人体存在検知センサーと、該人体存在機知センサーの出力信号に応じてＰＣの省電力モードの設定時間より短い時間間隔でダミーコード信号を出力するダミーコード信号発生手段と、前記ダミーコード信号をＰＣへ送出するダミーコード信号出力手段とから補助装置を構成したものである。
【００１０】
ダミーコード信号発生手段で発生させるダミーコード信号としては、実用上影響が少なくて済むシフトキーコード信号やコントロールキーコード信号等の補助キーコード信号が好ましいが、マウスコード信号でもよい。また、ダミーコード信号発生手段から出力されるダミーコード信号の送出時間間隔は、ＰＣへの影響を出来るだけ少なくするため、設定時間より僅かに小さい時間間隔とすることが好ましい。
【００１１】
本発明にかかる補助装置は、実用上ＰＣのＵＳＢポートに接続する外付型とするのが、使い勝手がよく一般的であるが、キーボード等のＰＣの外部接続機器に組込むようにしてもよい。
【００１２】
ダミーコード信号発生手段としては新規に製作してもよいが、市販の半導体チップ、例えばＡＵ９４４０チップ等で実現可能である。
【発明の効果】
【００１３】
本発明にかかる補助装置は、外付型のものは、例えばＰＣのＵＳＢポートに接続して使用し、内蔵型のものはＰＣ本体やキーボード等に組込むもので、人体存在検知センサーは、使用者の存在を検知すると、その検知信号によりダミーコード信号発生手段を動作させて、ダミーコード出力手段を介して、ダミーコード信号発生手段において設定した時間間隔でダミーコード信号をＰＣへ送信する。従って、ＰＣの省電力モードの設定時間を最小時間に設定しておくと、ＰＣから使用者が離れるとダミーコード信号の発信が停止するため、次いで最小時間の省電力モードに移行するため、無駄になる消費電力は最小設定時間分だけで済むことになる。
【００１４】
そのため、設定時間の選択が使用者の行動と整合しなかったことに基因する前述の問題点を解消すると共に、ＰＣ省電力モードの設定時間は最小時間間隔の１種類で済むことになるため、省電力モードの設定操作が不要の省電力ＰＣを提供することができる。
【実施例１】
【００１５】
図１は、本発明の実施例１の模式図で、１はＰＣのディスプレイ２のフロントパネルに吸盤により着脱自在に取付けられた本発明にかかる補助装置で、ＵＳＢケーブル３はＰＣのＵＳＢポートに接続する。
【００１６】
図２は、補助装置１の構成を示すブロック図で、公知の赤外線センサー等から成る人体存在検知センサー１１と、ダミーコード信号発生手段１２と、ダミーコード信号出力手段１３とから構成され、ダミーコード信号発生手段は、人体存在検知センサー１１の出力信号が入力すると、タイマー１４に設定された設定時間（実施例では５５秒とした）間隔でＣＰＵ１５はシフトキーコード信号（ダミーコード信号）をダミーコード信号出力回路１３を介して、ＰＣへ出力する。
【００１７】
なお、ダミーコード信号発生手段１２は、ＰＣからは、公知のUSB HIDとして認識される。（USBキーボード又は、USBマウスとして認識）従って、PCが有している標準のドライバで動作する。
【００１８】
今ここで、ＰＣの省電力モードの設定時間を最小の１分に設定し、この補助装置１をＰＣに接続しておくと、ＰＣの使用者がＰＣの前にいる間、その存在を検知してダミーコード信号のシフトキーコード信号を５５秒間隔で１回送る。
【００１９】
この場合、使用者がシフトキーを押しているのではない為、送っている時間は数ｍｓの短時間で、ＰＣを操作している場合のキー操作と重なっても、大きな問題にはならない。例えば小文字入力時にシフトキー信号が微小時間与えられても大文字に変換されるような不都合を生じることはない。
【００２０】
ＰＣの前から使用者が離れると、補助装置１からのダミーコード信号の送信は停止するので、設定時間の１分後に省電力モードに移行する。従って、本発明にかかる補助装置１を用いる時は、省電力モードの設定時間を長時間に設定する必要は全くなくなり、予めＰＣの設定時間を最小時間内に設定しておけば、現在のように省電力モードの時間設定操作を不要のものとすることができる。
【実施例２】
【００２１】
本発明にかかる補助装置１からＰＣへ出力させるダミーコード信号をマウスコード信号とした場合には、ディスプレイに表示されるマウス指標がダミーコード信号がＰＣに入力する都度、微小量移動して目障りになるが、実施例２はその問題を解消したものである。
【００２２】
即ち、実施例２では、補助装置１から５５秒間隔で１回目は１ドット右へ、２回目は１ドット左へというようにマウス指標の移動方向が逆のマウスコード信号を２回送るようにしたものである。
【００２３】
この構成によると、マウスの分解能は、４００counts／inchが一般的で、最小の移動量では人間の目には基本的には気付かず、ちらつきを感じることはない。
【実施例３】
【００２４】
図３は実施例３を示すもので、本発明にかかる補助装置をキーボード４に組み込んだものである。この場合人体存在検知センサーの受光部１１’をキーボード４の盤面に露出させることは勿論である。
【産業上の利用可能性】
【００２５】
ＰＣのようにキー操作が付随する省電力機能を備えた補助装置としても利用できる。
【図面の簡単な説明】
【００２６】
【図１】本発明の実施例１の模式図。
【図２】本発明の実施例１の構成を示すブロック図。
【図３】本発明の実施例３の模式図。
【符号の説明】
【００２７】
１     補助装置
２     ディスプレイ
３     ＵＳＢケーブル
４     キーボード
１１   人体存在検知センサー
１２   ダミーコード信号発生手段
１３   ダミーコード信号出力手段
１４   タイマー
１５   ＣＰＵ
【図１】
2005242513.tif 000003
【図２】
2005242513.tif 000004
【図３】
2005242513.tif 000005